(57)【特許請求の範囲】
【請求項１】
旋回体上の前側位置にキャブを備え、後側位置にカウンタウエイトを備えるとともに、上記旋回体上に熱交換器及び機器を備え、この旋回体上に、所定の作業に際して活用される第１開口部、及びこの第１開口部を覆う第１被覆体と、上記所定の作業とは異なる作業に際して活用される第２開口部、及びこの第２開口部を覆う第２被覆体とを備えた作業機械において、
上記第１開口部を上記カウンタウエイトとは独立させて、かつ上記カウンタウエイトの一側端部側に連設させて上記キャブと上記カウンタウエイトとの間に配置し、上記第２開口部を上記カウンタウエイトの他側端部側に配置するとともに、
上記第２開口部は、上記カウンタウエイトの他側端部の内側に設けられる増量部の上面部分から成る底面部分の上方が開放するように切り欠かれた上記カウンタウエイトの切欠き部によって形成し、上記増量部は、上記カウンタウエイトの下部を、上記旋回体を形成する旋回フレームの底面よりも下方に延設させて形成したことを特徴とする作業機械。
【請求項２】
上記請求項１記載の作業機械において、
上記第１開口部が上記熱交換器の清掃用開口部であり、上記第２開口部が上記機器のメンテナンス用開口部であることを特徴とする作業機械。
【発明の詳細な説明】
【技術分野】
【０００１】
本発明は、油圧ショベル等の旋回体を有する作業機械に関する。
【背景技術】
【０００２】
旋回体を有する作業機械として、従来、特許文献１に示されるものがある。この従来技術は、作業機械の一例として油圧ショベルを挙げたものであり、この油圧ショベルに装備される旋回体上の前側位置にキャブを備え、後側位置に重量バランス機能を有するカウンタウエイトを備えている。カウンタウエイトの両側端部のそれぞれには、上下方向が閉じられ、側方が開放された作業用の開口部、すなわち切欠き窓が備えられている。また、これらの切欠き窓を覆う被覆体、すなわち側面カバーが、嵌め込み式で装着されてねじ止めされ、あるいは蝶番を介して開閉自在に取り付けられている。
【０００３】
特許文献１には、特には明記されていないが、上述した切欠き窓の一方は熱交換器の清掃用開口部として活用され、他方は旋回体上に配備される機器のメンテナンス用開口部として活用されるのが一般的である。すなわち、側面カバーのそれぞれを開けることにより、切欠き窓のそれぞれを介して熱交換器の清掃作業とか、旋回体上の機器のメンテナンス作業を実施することができる。
【特許文献１】特開２００５−１６３５３３公報
【発明の開示】
【発明が解決しようとする課題】
【０００４】
上記従来技術では、カウンタウエイトの側端部において、上下方向が閉じられ、側方が開放された作業用の切欠き部、すなわち開口部を設けた構成にしてあることから、この開口部の上下方向の寸法に制約を受け、これにより開口部の開口面積を大きく設定することが難しく、このために熱交換器の清掃作業、あるいは機器のメンテナンス作業が煩雑となり、これらの作業の能率向上を見込めない問題がある。
【０００５】
本発明は、上述した従来技術における実状からなされたもので、その目的は、開口部を介して行なわれる所望の作業を容易に実施することができる作業機械を提供することにある。
【課題を解決するための手段】
【０００６】
この目的を達成するために、本発明は、旋回体上の前側位置にキャブを備え、後側位置にカウンタウエイトを備えるとともに、上記旋回体上に熱交換器及び機器を備え、この旋回体上に、所定の作業に際して活用される第１開口部、及びこの第１開口部を覆う第１被覆体と、上記所定の作業とは異なる作業に際して活用される第２開口部、及びこの第２開口部を覆う第２被覆体とを備えた作業機械において、上記第１開口部を上記カウンタウエイトとは独立させて、かつ上記カウンタウエイトの一側端部側に連設させて上記キャブと上記カウンタウエイトとの間に配置し、上記第２開口部を上記カウンタウエイトの他側端部側に配置するとともに、上記第２開口部は、上記カウンタウエイトの他側端部の内側に設けられる増量部の上面部分から成る底面部分の上方が開放するように切り欠かれた上記カウンタウエイトの切欠き部によって形成し、上記増量部は、上記カウンタウエイトの下部を、上記旋回体を形成する旋回フレームの底面よりも下方に延設させて形成したことを特徴としている。
【０００７】
このように構成した本発明の作業機械は、カウンタウエイトの一側端部側に配置される第１開口部が、カウンタウエイトには設けられずにカウンタウエイトとは独立して旋回体上に設けられ、しかもカウンタウエイトに連設されるように形成されているので、カウンタウエイトの構成部分に影響されずに、第１開口部の上方向の寸法を大きくすることができ、これに伴ってこの第１開口部の開口面積を大きく設定することが可能となる。また、カウンタウエイトの他側端部側に配置される第２開口部が、上方が開放するように切り欠かれたカウンタウエイトの切欠き部によって形成されているので、この第２開口部の上方向の寸法をカウンタウエイトの構成部分に影響されずに大きくすることができ、これに伴ってこの第２開口部の開口面積を大きく設定することが可能となる。したがって、これらの第１，第２開口部の開口面積を大きく設定することにより、これらの第１，第２開口部を介して行われる所望の作業を容易に実施することができる。
【０００８】
また、本発明の作業機械は上記発明において、上記カウンタウエイトの下部を、上記旋回体を形成する旋回フレームの底面よりも下方に延設させたことを特徴としている。このように構成した本発明の作業機械は、旋回フレームの底面よりも下方に延設させた部分によって、カウンタウエイトの重量を増量させることができる。
【０００９】
また、本発明の作業機械は上記発明において、上記第１開口部が熱交換器の清掃用開口部であり、上記第２開口部が機器のメンテナンス用開口部であることを特徴としている。このように構成した本発明の作業機械は、清掃用開口部を介して熱交換器の清掃作業を、また、メンテナンス用開口部を介して機器のメンテナンス作業を、それぞれ容易に実施することができる。
【発明の効果】
【００１２】
本発明の作業機械は、第１開口部をカウンタウエイトとは独立させて、かつカウンタウエイトの一側端部側に連設させてキャブとカウンタウエイトとの間に配置し、第２開口部をカウンタウエイトの他側端部側に配置するとともに、第２開口部は、カウンタウエイトの他側端部の内側に設けられる増量部の上面部分から成る底面部分の上方が開放するように切り欠かれたカウンタウエイトの切欠き部によって形成し、増量部は、カウンタウエイトの下部を、旋回体を形成する旋回フレームの底面よりも下方に延設させて形成したことから、第１，第２開口部の開口面積をカウンタウエイトの構成部分に影響されずに大きく設定でき、これによって、第１，第２開口部を介して行われる所望の作業を容易に実施することができ、従来に比べて作業能率を向上させることができる。
【発明を実施するための最良の形態】
【００１４】
以下，本発明に係る作業機械、及び作業機械のカウンタウエイトを実施するための最良の形態を図に基づいて説明する。
【００１５】
図１は本発明に係る作業機械の一実施形態を構成する油圧ショベルを示す側面図、図２は図１に示す油圧ショベルの旋回体を示す平面図、図３は図２のＡ方向から見た図、図４は図２のＢ方向から見た図、図５は図２のＣ方向から見た図である。
【００１６】
本実施形態は例えば油圧ショベルに適用したものであり、この油圧ショベルは、図１に示すように、走行体１と、この走行体１上に配置される旋回体２とを備えている。この旋回体２を形成する旋回フレーム３の前側位置にはキャブ４を備え、後側位置にはカウンタウエイト５を備えている。
【００１７】
また、旋回体２には、上下方向の回動可能にブーム６が連結され、ブーム６には上下方向の回動可能にアーム７が連結され、アーム７には上下方向の回動可能にバケット８が連結されている。これらのブーム６、アーム７、バケット８のそれぞれは、ブームシリンダ９、アームシリンダ１０、バケットシリンダ１１によって駆動される。ブーム６、アーム７、バケット８を適宜駆動させることにより、土砂の掘削作業等を実施できる。
【００１８】
本実施形態の油圧ショベルは、特に、図２，３に示すように、カウンタウエイト５の一側端部５ｄ側に、カウンタウエイト５とは独立させて、しかもカウンタウエイト５の一側端部５ｄに連設させて、所定の作業に際して活用される第１開口部、例えば熱交換器の清掃作業に活用される清掃用開口部１２と、この清掃用開口部１２を覆う被覆体、例えば開閉自在なドア１３を設けてある。また、図２，４，５に示すように、カウンタウエイト５の他側端部５ｅに、上述した所定の作業とは異なる作業に活用される第２開口部、例えば旋回体２上に配置される機器のメンテナンス作業に活用されるメンテナンス用開口部１４と、このメンテナンス用開口部１４を覆う被覆体、例えばメンテナンス用開口部１４に嵌着されるカバー１５を設けてある。
【００１９】
図６は図２のＣ方向から見た図に相当する本実施形態の油圧ショベルのカウンタウエイトを示す正面図、図７は図６に示すカウンタウエイトを背面側から見た斜視図、図８は図６に示すカウンタウエイトを左上方から見た斜視図、図９は図６に示すカウンタウエイトを右上方から見た斜視図である。
【００２０】
本実施形態の油圧ショベルのカウンタウエイト５は、図６，７，９に示すように、一方の側端部、すなわち他側端部５ｅに、上方が開放するように切り欠かれた切欠き部５ａを有する。この切欠き部５ａが底面部分を他側端部５ｅとした上述したメンテナンス用開口部１４を形成する。
【００２１】
また、図６に示すように、カウンタウエイト５の下部を、旋回体２を形成する旋回フレーム３の底部３ａよりも下方に延設させ、カウンタウエイト５の重量を増加させる増量部５ｂを形成させてある。さらに、図７に示すように、カウンタウエイト５の背面側、すなわち内側には、旋回体２上の各デッドスペースに適合させた形状の、あるいは肉厚の別の複数の増量部５ｃを形成させてある。
【００２２】
なお、これらの図６〜９に示すカウンタウエイト５は、図示しないボルトによって、旋回フレーム３に固定される。ボルトは、旋回フレーム３の下方から上方に向かってこの旋回フレーム３及びカウンタウエイト５に挿入されて螺合されるが、このボルトの頭部は、上述した図６に示すカウンタウエイト５の増量部５ｂの内側に位置するようになっている。すなわち、増量部５ｂによって上述のボルトの頭部が外部から隠されるようになっている。
【００２３】
このように構成した本実施形態の油圧ショベルによれば、第１開口部、すなわち清掃用開口部１２を、カウンタウエイト５とは独立させて、しかもカウンタウエイト５の一側端部５ｄに連設させて、キャブ４とカウンタウエイト５の間に配置したことから、カウンタウエイト５の構成部分に影響されずに、この清掃用開口部１２の上方向の寸法を大きくすることができ、これに伴ってこの清掃用開口部１２の開口面積を大きく設定することが可能となる。また、第２開口部、すなわちメンテナンス用開口部１４を、カウンタウエイト５の他側端部５ｅに設けられ、上方が開放されたカウンタウエイト５の切欠き部５ａによって形成したことから、このメンテナンス用開口部１４の上方向の寸法をカウンタウエイト５の構成部分に影響されずに大きくすることができ、これに伴ってこのメンテナンス用開口部１４の開口面積を大きく設定することが可能となる。したがって、これらの清掃用開口部１２の開口面積、及びメンテナンス用開口部１４の開口面積を大きく設定することにより、これらの清掃用開口部１２及びメンテナンス用開口部１４を介して行われる所望の作業、すなわち熱交換器の清掃作業、及び旋回体２上の機器のメンテナンス作業を容易に実施することができ、作業能率を向上させることができる。
【００２４】
また、カウンタウエイト５に旋回フレーム３の底面３ａよりも下方に延設させた増量部５ｂを設け、これに加えてカウンタウエイト５の内側に複数の増量部５ｃを設けたことによって、切欠き部５ａを形成したにも拘わらずカウンタウエイト５の重量を重くすることができ、優れた重量バランス機能を確保できる。
【００２５】
また、上述のように旋回フレーム３の底面３ａよりも下方に延設させた増量部５ｂを設けたことによって車体の重心を下げることができ、この油圧ショベルの安定性を確保できる。
【００２６】
さらに、上述のように旋回フレーム３の底面３ａよりも下方に延設させた増量部５ｂによって、カウンタウエイト５を旋回フレーム３に固定する図示しないボルトの頭部を隠すことができ、優れた意匠性が得られる。
【００２７】
また、本実施形態の油圧ショベルのカウンタウエイト５は、一方の側端部、すなわち他側端部５ｅに切欠き部５ａを有し、この切欠き部５ａによって作業用の開口部、例えばメンテナンス用開口部１４を形成することができ、上述したように、このメンテナン用開口部１４の上方向の寸法をカウンタウエイト５の構成部分に影響されずに大きくすることができ、これに伴ってこのメンテナンス用開口部１４の開口面積を大きく設定することが可能となる。したがって、このメンテナンス用開口部１４の開口面積を大きく設定することにより、このメンテナンス用開口部１４を介して行われる機器のメンテナンス作業を容易に実施することができ、このメンテナンス作業の能率を向上させることができる。
【００３１】
また、上記では、メンテナンス用開口部１４に嵌着されるカバー１５を設けた構成にしてあるが、このカバー１５に代えて開閉自在なドアを設ける構成にしてもよい。
【００３２】
さらに上記では、清掃用開口部１２を覆う開閉自在なドア１３を設けた構成にしてあるが、このドア１３に代えて、清掃用開口部１２に嵌着されるカバーを設けた構成にしてもよい。
【図面の簡単な説明】
【００３３】
【図１】本発明に係る作業機械の一実施形態を構成する油圧ショベルを示す側面図である。
【図２】図１に示す油圧ショベルの旋回体を示す平面図である。
【図３】図２のＡ方向から見た図である。
【図４】図２のＢ方向から見た図である。
【図５】図２のＣ方向から見た図である。
【図６】図２のＣ方向から見た図に相当する本実施形態の油圧ショベルのカウンタウエイトを示す正面図である。
【図７】図６に示すカウンタウエイトを背面側から見た斜視図である。
【図８】図６に示すカウンタウエイトを左上方から見た斜視図である。
【図９】図６に示すカウンタウエイトを右上方から見た斜視図である。
【符号の説明】
【００３４】
１    走行体
２    旋回体
３    旋回フレーム
３ａ  底面
４    キャブ
５    カウンタウエイト
５ａ  切欠き部
５ｂ  増量部
５ｃ  増量部
５ｄ  一側端部
５ｅ  他側端部
６    ブーム
７    アーム
８    バケット
９    ブームシリンダ
１０  アームシリンダ
１１  バケットシリンダ
１２  清掃用開口部（第１開口部）
１３  ドア（被覆体）
１４  メンテナンス用開口部（第２開口部）
１５  カバー（被覆体）
【図１】
0004703369.tif 000002
【図２】
0004703369.tif 000003
【図３】
0004703369.tif 000004
【図４】
0004703369.tif 000005
【図５】
0004703369.tif 000006
【図６】
0004703369.tif 000007
【図７】
0004703369.tif 000008
【図８】
0004703369.tif 000009
【図９】
0004703369.tif 000010